(57)【要約】【課題】可視情報の印相と不可視情報の印相を含む浸透式印鑑を用い、セキュリティを確保でき、かつ連続的にコンベヤ等で搬送され移動中の捺印対象物に捺印することができる捺印装置を提供する。【解決手段】軸３３に支持され回転可能に浸透式印鑑本体１Ａを備えた。浸透式印鑑本体１Ａは、印字体等保持枠１１に、印面に可視情報の印相が刻設される連続多孔質体よりなる第１の印字体１２と、可視インクを第１の印字体１２に供給する第１のインクタンク１４と、印面に可視情報の印相が刻設される連続多孔質体よりなる第２の印字体１３と、不可視インクを第２の印字体１３に供給する第２のインクタンク１５と、が保持され、かつ、第１の印字体１２と第２の印字体１３の印面が軸３３を中心線とする円筒面上に存在し、第１の印字体１２に含浸する可視インクが前記第２の印字体１３に含浸不可であるように設けられてなる。【選択図】図３
2010120314.tif 000002
【特許請求の範囲】
【請求項１】
軸に支持され回転可能である印字体等保持枠に、印面に可視情報の印相が刻設される連続多孔質体よりなる第１の印字体と、該第１の印字体の内方に位置され可視インクを貯留し前記第１の印字体に供給する第１のインクタンクと、印面に可視情報の印相が刻設される連続多孔質体よりなる第２の印字体と、該第２の印字体の内方に位置され不可視インクを貯留し前記第２の印字体に供給する第２のインクタンクと、が保持され、かつ、前記印字体等保持枠に並んで保持される前記第１の印字体と前記第２の印字体の印面が前記軸を中心線とする円筒面上に存在し、前記第１の印字体に含浸する可視インクが前記第２の印字体に含浸不可であるように設けられてなる浸透式印鑑本体を備え、
移動される捺印対象物に対して該第１の印字体と該第２の印字体の印面を押圧させ転がり接触させて押印する、
ことを特徴とする捺印装置。
【請求項２】
前記第１のインクタンクと前記第２のインクタンクにそれぞれインク補給口を備えている、
ことを特徴とする請求項１に記載の捺印装置。
【請求項３】
前記第１のインクタンクのインク補給口に可視インクを貯留するインクカートリッジを備えると共に、前記第２のインクタンクのインク補給口に不可視インクを貯留するインクカートリッジを備えている、
ことを特徴とする請求項２に記載の捺印装置。
【請求項４】
前記第１のインクタンクのインク補給口は、前記第１のインクタンクの上端または上端に近い位置に設けられる、
ことを特徴とする請求項３に記載の捺印装置。
【請求項５】
前記移動される捺印対象物に対して前記第１の印字体と前記第２の印字体の印面を転がり接触させるように、前記印字体等保持枠を支持する軸を回転駆動する回転駆動機構をさらに備えた、
ことを特徴とする請求項１乃至請求項４のいずれか一に記載の捺印装置。
【発明の詳細な説明】
【技術分野】
【０００１】
本発明は、セキュリティを確保でき、かつコンベヤ等で搬送中の捺印対象物に捺印することができる捺印装置に関する。
【背景技術】
【０００２】
今日では、コンピュータによる画像処理が高性能となったこと及び彫刻装置により高精細な彫刻が可能になったことから、印鑑の印影の偽造が容易となっている。従来、印影の真贋についての判定は、例えば、正規に使用され登録され、あるいは保管管理された印影（以下、真正な印影という）の書類を取り出してきて、該印影の書面の上に、真贋の判定対象に係る押印の書面を重ね、上側に重ねた書面について捲りと重ねを繰り返すことにより、上下に重ねた２つの印影がぴったりと重なるか否かを視覚判断で行っているので、真正な印鑑及び印影の鑑別は依然として困難であり、印鑑及び印影の盗用が大きな社会問題となっている。印影については、書面として流通するので人目に晒され、不特定の人に渡ることが多いので、盗用される機会が多く存在する。
【０００３】
印影の盗用防止のための一の方法は、書面に押印された印影の真贋を容易に分かるようにすることである。そこで、複数の印相を選択的に形成することができセキュリティを確保できる印鑑が提案されている（特許文献１、特許文献２参照）。特許文献１に記載された印鑑は、印面を有する印鑑本体の外周に、円環状の印面を有する複数の外層部を回転自在に備え、各外層部に対応して設けられた複数のダイヤルを回転し数値の組み合わせを選択すると、印鑑本体の印面と複数の外層部の印面が一つの印相を形成するので、仕舞っておくときにダイヤルを回転して異なった数値の組み合わせを選択しておくと、盗難されても不正使用による危険性を大幅に低減することができ、同時に、所有者やその使用が許諾された人にとって、容易に正しい印相を形成することができる。特許文献２に記載された印鑑もほぼ同一の構成である。
【０００４】
他に、盗用偽造・防止に有効な印鑑として、例えば、印面が形成された印部と持ち手部とからなり、印面に印影部が刻設されると共に、当該印面内の非印影部に、印面と削底面との間の中間位に至る高さを備え且つ平面形状が円又は多角形の組み合わせからなる単一の方向性を有した形状の識別部が刻設された印鑑が提案されている（特許文献３参照）。
【０００５】
印影の盗用防止のための他の方法は、印鑑が盗用されたものであるか否かが印鑑使用の時点で直ちに分かるようにすることであり、コンピュータによるデータ管理が可能なＲＦＩＤを埋め込んだ電子印鑑が提案されている（特許文献４参照）。
【０００６】
なお、コンベヤで搬送中の捺印対象物に捺印する捺印装置として、例えば、捺印ローラの外周面の印字機能部が設けられる捺印装置が提案されている（特許文献５参照）。
【０００７】
特許文献５に記載された捺印装置の印字機能部は、活字やゴム印等の印が刻まれた部分である。捺印ローラ以外に、インクが含浸されたインクローラとインクローラのインクを捺印ローラの外周の印字機能部の活字表面に付着させるための転写ローラとが設けられている。
【０００８】
【特許文献１】特開２００７−１５１１２号公報
【特許文献２】実用新案登録第３０７８２３３号公報
【特許文献３】実用新案登録第３１２５３７０号公報
【特許文献４】特開２００２−１９７０６６号公報
【特許文献５】特開２０００−２７２０２８号公報
【発明の開示】
【発明が解決しようとする課題】
【０００９】
しかしながら、特許文献１、特許文献２に記載された印鑑は、印影を見られてしまうと、盗用した印鑑を使用時の印相となるようにセットできるという問題がある。特許文献３に記載された印鑑でも高精細な彫刻が行える電子彫刻機によれば製作可能である。特許文献４に記載された電子印鑑は、印鑑使用時（押印の際）に印鑑自体の真贋を判定できるものであり、書類として出回っている印影についての真贋の判定には関与し得ない。
【００１０】
他方、各種の証明機関の行う証明や個人間取引で行う証明について、証明に係る印鑑で書面に押印した印影が模倣盗用されないようにするために、該証明に係る印鑑を書面に押印する際に、目に見えない証明能力のあるマークやコード等の付記印を付記押印することができる仕組みの提供が要望されている。すなわち、該証明に係る印鑑に不可視の付記印が仕組まれていることにより、書面に押印された印影が真正であるかどうかの判断を専用検証器で付記印を確認することができる仕組みの提供が要望されている。
【００１１】
また、特許文献５に記載された捺印装置は、捺印ローラ以外に、インクが含浸されたインクローラとインクローラのインクを捺印ローラの外周の印字機能部の活字表面に付着させるための転写ローラとが必要となるため、装置の構成が複雑でコストが高いという欠点があり、かつ、インクローラと転写ローラ上のインクの乾燥、汚れ等の問題点があった。
【００１２】
本発明は、上述した点にかんがみ案出されたもので、その目的とするところは、連続的にコンベヤ等で搬送され移動中の捺印対象物に不可視の付記印を含む押印が行うことができると共に、捺印対象物に押印された可視の印影についての真贋の判定を行うに際して、専用検証器を用いて不可視の付記印を確認することで直ちに真贋を判定できる捺印装置を提供することにある。
【課題を解決するための手段】
【００１３】
上記課題を解決するため、本発明の捺印装置は、軸に支持され回転可能である印字体等保持枠に、印面に可視情報の印相が刻設される連続多孔質体よりなる第１の印字体と、該第１の印字体の内方に位置され可視インクを貯留し前記第１の印字体に供給する第１のインクタンクと、印面に可視情報の印相が刻設される連続多孔質体よりなる第２の印字体と、該第２の印字体の内方に位置され不可視インクを貯留し前記第２の印字体に供給する第２のインクタンクと、が保持され、かつ、前記印字体等保持枠に並んで保持される前記第１の印字体と前記第２の印字体の印面が前記軸を中心線とする円筒面上に存在し、前記第１の印字体に含浸する可視インクが前記第２の印字体に含浸不可であるように設けられてなる浸透式印鑑本体を備え、
移動される捺印対象物に対して該第１の印字体と該第２の印字体の印面を押圧させ転がり接触させて押印する、ことを特徴とする。
【００１４】
第２の印字体の印面に刻設される印相となる不可視情報としては、任意のオリジナルなマークやＩＤ番号、バーコード、ＱＲコード等の二次元コード、真似されにくい特有の幾何学模様等の少なくとも１種と、これらの位置と向きと大きさと形状等の組み合わせとして形成することができる。
【００１５】
上記構成によれば、捺印対象物への押印を行うと、第１の印字体により可視インクの可視情報が押印されるとともに、第２の印字体により不可視インクの不可視情報が押印される。不可視情報は、専用検証器により確認できるので、可視情報の印影が真正であるかどうかについて、印影を直接の判別の対象としないで、第三者に知られていない不可視情報を専用検証器で確認することを通じて印影が真正であるかどうかを判別できる。
【００１６】
専用検証器は、不可視情報がＩＤ番号やバーコード又は二次元コードである場合には、赤外線あるいは紫外線を照射して反射光を読み取り情報を取得するリーダが用いられ、データベースに格納されたコード情報と照合して一致・不一致をモニタに映して確認でき、また不可視情報が任意のオリジナルなマークや幾何学模様等で例えば赤外線あるいは紫外線を放射するインクで押印されたものである場合には、赤外線あるいは紫外線に感応するデジタルカメラで撮影しモニタに映して真正な不可視情報であるかどうかを確認できる。
【００１７】
例えば、前記第２のインクタンクに貯留される不可視インクには、赤外線あるいは紫外線を放射又は吸収するインクを用いる。
【００１８】
また、前記第１のインクタンクと前記第２のインクタンクにそれぞれインク補給口を備えている。これにより、インクの補給が可能となる。
【００１９】
また例えば、前記第１のインクタンクのインク補給口は、前記第１のインクタンクの上端または上端に近い位置に設けられるのが好ましい。これにより、インクが高い位置から下方へ浸透することが可能となる。
【００２０】
また、前記円筒部材を所定の回転速度で駆動する回転駆動機構をさらに備える。これにより、コンベヤ等で搬送中の捺印対象物の移動速度に合わせて円筒部材の回転速度を制御することが可能となる。
【００２１】
上記構成によれば、捺印装置で捺印対象物に押印すると、可視部の印影と不可視部の印影とが押印されるので、不正を行おうとする者が該捺印対象物を入手して押印の可視部の印影を写し取ってそっくり同一の印影の印鑑を作り盗用したとしても、盗用した印鑑を押印した捺印対象物には不可視部の印影が存在しないことを専用検証器で確認することができ、もって、捺印対象物に押印された可視部の印影について、関係者だけで真贋の判定を容易に行うことができ、告知費用・手間が少ないセキュリティが図れる浸透式印鑑を提供することができ、さらに、電子印鑑との組合わせも可能である。
【００２２】
また上記構成によれば、従来の捺印装置のようなインクローラと転写ローラが必要とせず、連続的にコンベヤ等で搬送され移動中の捺印対象物に捺印することができる。
【００２３】
インクには重力作用が働くので、上記構成の第１のインクタンクのインク補給口を、第１のインクタンクの上端または上端に近い位置に設けると、インクが第１の印字体の全体に均一に行き渡る。この構成は、第１の印字体の面積が大きい場合に有効である。
【００２４】
また上記構成に、円筒部材を所定の回転速度で駆動する回転駆動機構をさらに備え、印面の周速度をコンベヤ等で搬送され移動中の捺印対象物の移動速度に合わせる構成にすると、確実に捺印対象物の所定位置に捺印することができる。
【発明の効果】
【００２５】
本発明によれば、連続的にコンベヤ等で搬送され移動中の捺印対象物に不可視の付記印を含む押印が行うことができると共に、捺印対象物に押印された可視の印影についての真贋の判定を行うに際して、専用検証器を用いて不可視の付記印を確認することで直ちに真贋を判定できる。
【発明を実施するための最良の形態】
【００２６】
以下、本発明の実施形態に係る捺印装置について図面を参照して説明する。図１は、捺印装置１００の構成を示す斜視図である。図２は、浸透式印鑑本体１Ａの印面を視た下面図である。図２においては、曲面の印面を展開した展開図を示している。図３は、捺印装置１００の構成を示すＡ−Ａ断面図である。図３においては、保持手段４０a，４０bを省略した状態である。図４は、捺印装置１００の構成を示すＢ−Ｂ断面図である。図５は、捺印装置１００の構成を示すＣ−Ｃ断面図である。
【００２７】
図１〜図５に示すように、捺印装置１００は、円筒部材３０と、円筒部材３０を回転自在に保持する保持手段４０（４０a，４０b）と、円筒部材３０の開口部３５に装着された浸透式印鑑本体１Ａとを備えている。
【００２８】
円筒部材３０は、両端の中心部に軸３３を有し、側面に開口されたものであり、この例の場合は、円筒部材３０に浸透式印鑑本体１Ａを装着するための開口部３５が設けられている。また、軸３３は、円筒部材３０の中心部に配置され、キー３４により浸透式印鑑本体１Ａに固定される。軸３３の両端は、円筒部材３０の端面部材３１、３２より露出し、保持手段４０a，４０bにより回転可能に軸支されている。
【００２９】
なお、円筒部材３０を所定の回転速度で駆動する回転駆動機構を設けてもよい（後述する図６参照）。これにより、コンベヤ等で搬送中の捺印対象物Ｐの移動速度に合わせて円筒部材３０の回転速度を制御することが可能となり、確実に捺印対象物Ｐの所定位置に捺印することができる。
【００３０】
保持手段４０a，４０bは、軸３３を介して円筒部材３０を回転可能に保持するものである。この保持手段４０a，４０bは、例えば位置調整機構（図示せず）に固定され、コンベヤ等で搬送中の捺印対象物Ｐに捺印する際に、位置調整機構により円筒部材３０を捺印対象物Ｐに押し付けるように所定位置に移動することができる。なお、位置調整機構は円筒部材３０の上下位置も調整できるようにしてもよい。
【００３１】
浸透式印鑑本体１Ａは、印字体等保持枠１１と、第１の印字体１２と、第２の印字体１３と、第１のインクタンク１４と、第２のインクタンク１５と、第１のインクタンク１４と第２のインクタンク１５にそれぞれ連通するインク補給口１６、１７とを備えてなる。
【００３２】
印字体等保持枠１１は、この実施形態では、保持枠本体１１ａと、保持リング１１ｂ、ホルダ１１ｃとを備えてなる。保持枠本体１１ａには、外側に凹部を有し該凹部を、第１のインクタンク１４と第１の印字体１２とを収容する凹部と、第２のインクタンク１５と第２の印字体１３とを収容する凹部とに区画する区画壁１８があり、各凹部に、第１のインクタンク１４と第２のインクタンク１５を先に収容し、後から第１の印字体１２と第２の印字体１３を重ねて収容する。区画壁１８の下面は印面より僅かに引っこんで設けられる。保持リング１１ｂは、第１のインクタンク１４に積層される第１の印字体１２及び第２のインクタンク１５に積層される第２の印字体１３を押え付けた状態に保持枠本体１１ａに被嵌固定される。ホルダ１１ｃは、保持枠本体１１ａの内側の開口を閉じて被嵌される。ホルダ１１ｃには、軸３３が挿通されている。また、ホルダ１１ｃの内側には、インクカートリッジ１９、２０が収納され、インクカートリッジ１９、２０はインク補給口１６、１７に嵌着される。
【００３３】
第１の印字体１２は、連続多孔質体よりなり、第１のインクタンク１４から朱色或いは青色等の可視インクが毛管現象を利用して供給される。第１の印字体１２の印面（外面）には可視情報の印相（印影と逆の表示）が刻設される。可視情報の印相を構成する、該可視情報として、図２には、名称等の文字情報ａ１と、ＩＤ等の数字情報ａ２と、輪郭線ａ３とが凸部として残るようにレーザ加工により印字刻設される。
【００３４】
第２の印字体１３は、連続多孔質体よりなり、印字体等保持枠１１の外端に第１の印字体１２と並んで一曲面となるように保持され、印面に不可視情報の印相として、ここではバーコードｂが凸部として残るようにレーザ加工により刻設される。
【００３５】
第１の印字体１２と第２の印字体１３を構成する連続多孔質体は、例えば、アクリロニトリル−ブタジエン共重合体（ニトリル含量３１〜４２％）等のゴム、ポリエチレン、ポリプロピレン、ポリオレフィン、ポリウレタン等の熱可塑性樹脂、あるいは、ポリエチレン−エチレン―プロピレンゴムからなるオレフィン系熱可塑性エラストマーを、塩化ナトリウム等可溶性微粉末、加硫剤、充填剤、添加剤などを配合混練し、必要に応じて加硫し、成形後、可溶性微粉末を除去してなる。
【００３６】
第１の印字体１２を構成する連続多孔質体の微小ホールと、第２の印字体１３を構成する連続多孔質体の微小ホールは、通流させる液体が可視インクと不可視インクの相異がありかつ両インクの流動性、粘性に相違があるので、必要に応じてホール径を相違させるのが良い。
【００３７】
第１の印字体１２と第２の印字体１３は、最初からそれぞれに可視インク又は不可視インクが含浸したものを備えることができるが、それぞれを第１のインクタンク１４と第２のインクタンク１５に重ねた後に、対応するインクタンクに含浸貯留された可視インク又は不可視インクを毛細管現象を利用して含浸させる構成であっても良い。
【００３８】
多孔質印字体にインクを充填するには、例えば、インクを含浸させたインクタンクと多孔質印字体の間にプラスチックフィルムを挟んで両者を隔離しつつ当接させた後に極性溶剤を含有するインクをインクタンクへ含浸させる方法や、極性溶剤を含有するインクを保持させたインクタンクをプラスチックフィルムで覆った後に当該インクタンクと多孔質印字体を接触させる方法や、プラスチックフィルム製容器に直接インクを保持させる方法などがある。
【００３９】
第１のインクタンク１４は、印字体等保持枠１１内の第１の印字体１２側に設けられ第１の印字体１２に供給する可視インクを貯留する。可視インクとして、着色剤に染料や顔料を使用した水性インク又は油性インクを用いる。特に、接着剤に対して反応性の高い不揮発性溶剤をベースとする油性インクを用いるのが好ましい。
【００４０】
また、第１のインクタンク１４のインク補給口１６は、第１のインクタンク１４の上端に近い位置に設けられる（図２参照）。これにより、インクが高い位置から下方へ浸透することが可能となり、第１の印字体１２の面積が大きい場合においてもインクが第１の印字体１２に均一に分布することができる。
【００４１】
第２のインクタンク１５は、印字体等保持枠１１内の第２の印字体１３側に設けられ第２の印字体１３に供給する不可視インクを貯留する。不可視インクとして、赤外線あるいは紫外線を放射又は吸収するインクを用いる。また、不可視インクには、赤外線等が照射されると可視光線を発する性質を有する透明な蛍光インクを用いることができる。さらに、不可視インクには、簡易フィルタを重ねると隠れていた文字・パターンが現われるコバートインクや、通常可視光線下では透明で見えず紫外線ランプ（ブラックライト）を照射することで発光するインク、感熱変色インクで印刷された不可視部分を指で素早く擦り発熱させると透明色から可視色に変色して付記印が一定時間現れる感熱変色インク等を用いることができる。
【００４２】
第１のインクタンク１４と第２のインクタンク１５は、例えばシリコーンゴムを用い、公知の溶出法によって連続気泡化したシリコーンゴム製多孔質体を切断してなる。該インクタンクは、第１の印字体１２と第２の印字体１３を構成する連続多孔質体よりも気孔径・気孔率が共に大きく毛細管現象により多孔質印字体へインクを移行することができるように設定しておく。なお、インクタンクの下面にマイクロ波吸収発熱膜を形成したポリエチレンフィルム（ＬＤＰＥ）を配し、エチレングリコールとヒマシ油を主溶剤とするインクを滴下し、インクタンクにインクを含浸させ、マイクロ波を照射してポリエチレンフィルムを溶かし、第１のインクタンク１４と第２のインクタンク１５のインクを第１の印字体１２又は第２の印字体１３に移行させることができる。
【００４３】
浸透式印鑑本体１Ａは、第１の印字体１２に含浸する可視インクが第２の印字体１３に含浸不可であるように設けられている。第１の印字体１２に含浸する可視インクが第２の印字体１３に含浸する構成は、可視インクが不可視インクに混ざることにより、浸透式印鑑本体１Ａで押印した印影が、第２の印字体１３の印相の押印部分についても可視状態になるので、回避しなければならない。かかる回避の構造は、例えば、第１の印字体１２と第２の印字体１３とが非接触に備えられるか、仕切り壁が設けられるか、あるいは、第１の印字体１２と第２の印字体１３の少なくとも一方の周壁にインク不透膜を形成することなどでも良い。
【００４４】
第１のインクタンク１４と、第２のインクタンク１５のそれぞれに対応して、上述したようにホルダ１１ｃに形成されたインク補給口１６、１７を備えているので、第１のインクタンク１４にはインク補給口１６を通して可視インクを補給し、第２のインクタンク１５にはインク補給口１７を通して不可視インクを補給する。さらに、上述したようにインク補給口１６とインク補給口１７に、インクカートリッジ１９、２０を備えることができる。
【００４５】
また、図４、図５に示すように、第１の印字体１２および第２の印字体１３からなる印字面の形状は、円筒部材３０の表面形状に対応する円筒面の一部とされる。第１のインクタンク１４と、第２のインクタンク１５の形状も円筒部材３０の形状に合わせて曲面状に形成される。また、浸透式印鑑本体１Ａは、第１の印字体１２および第２の印字体１３からなる印字面が円筒部材３０の表面よりわずかに突出するように設けられている。これにより、円筒部材３０が回転しながら確実に捺印することができる。
【００４６】
図６は、捺印装置１００を用いて捺印する応用例を示す斜視図である。この場合は、図６に示すように、捺印装置１００に円筒部材３０を所定の回転速度で駆動するために、モータ５１、タイミングプーリー５２、５３、およびタイミングベルト５４からなる回転駆動機構５０がさらに設けられている。
【００４７】
コンベヤ６０で搬送中の捺印対象物Ｐに捺印する際に。保持手段４０a，４０bが固定されている位置調整機構（図示せず）により円筒部材３０を捺印対象物Ｐに押し付けるように所定位置に移動し、そして、モータ５１、タイミングプーリー５２、５３、およびタイミングベルト５４からなる回転駆動機構５０により浸透式印鑑本体１Ａの位置を捺印対象物Ｐの捺印すべき所定位置に合わせて、かつ捺印対象物Ｐの外表面のうちの搬送方向と平行な被捺印面の速度に円筒部材３０の表面の速度を一致させ、捺印を行う。
【００４８】
この場合、位置調整機構により円筒部材３０を捺印対象物Ｐに押し付ける際に、捺印対象物Ｐが力Ｆで押さえられているので、走行方向に垂直な方向に移動する傾向があり、この走行方向に垂直な方向の移動を阻止するように、コンベヤ６０の反対側に複数のローラ７０ａ、７０ｂ、７０ｃが設けられている。これにより、捺印対象物Ｐが移動しながら確実に捺印を行うことができる。
【００４９】
上記構成によれば、捺印対象物Ｐへ押印すると、可視部の印影と不可視部の印影とが押印第１の印字体１２の印面により可視インクの可視情報が押印されるとともに、第２の印字体１３の印面により不可視インクの不可視情報が押印される。不可視情報としては、ＩＤ番号、バーコード、ＱＲコード等の二次元コード、特有の幾何学模様等の少なくとも１種と、これらの位置と向きと大きさと形状等の組み合わせとして、可視情報の印影が真正であるかどうかについて、印影を直接の判別の対象としないで、第三者に知られていない不可視情報をリーダあるいはモニタで確認することを通じて印影が真正であるかどうかを判別でき、可視情報とともに押印された不可視情報をリーダあるいはモニタで確認するにより判別でき、セキュリティを確保できる。
【００５０】
図２では、第１の印字体１２に刻設される可視情報の印相部分は、「○○協会」の文字とこれを囲んでいるサークルであり、第１の印字体１２に可視インクが含浸されているから、捺印対象物Ｐに押印されると、図７（ａ）に示す可視情報の印影ｃ１、ｃ２、ｃ３となる。第２の印字体１３に刻設される不可視情報の印相部分は、バーコードであり、第２の印字体１３に不可視インクが含浸されているから、捺印対象物Ｐに押印されると、図７（ａ）に示すように不可視（ｄの位置）であるが、専用検証器のモニタには、図７（ｂ）に示すように、可視情報の印影ｃ１、ｃ２、ｃ３とともに不可視情報であるバーコードの印影ｅが可視表示される。
【００５１】
図８は、捺印装置１００を用いて捺印する他の応用例を示す斜視図である。図８に示すように、捺印装置１００はコンベヤ６０の上方に設置されている。この場合も捺印装置１００に円筒部材３０を所定の回転速度で駆動するために、回転駆動機構を設けるようにしてもよい。
【００５２】
コンベヤ６０で搬送中の捺印対象物Ｐに捺印する際に。保持手段４０（４０a，４０b）が固定されている位置調整機構（図示せず）により円筒部材３０を上から捺印対象物Ｐに押し付けるように所定位置に移動し、そして、回転駆動機構により捺印対象物Ｐの外表面のうちの搬送方向と平行な被捺印面の速度に円筒部材３０の表面の速度を一致させ、捺印を行う。
【００５３】
この場合、上述した応用例（図６参照）のように、捺印対象物Ｐが押さえられて走行方向に垂直な方向の移動を阻止するための複数のローラ７０ａ、７０ｂ、７０ｃを設ける必要がない。また、回転駆動機構を設けずに、位置調整機構により円筒部材３０を上から捺印対象物Ｐに押し付け、捺印対象物Ｐと円筒部材３０との間の摩擦力を利用して円筒部材３０を回転させ、捺印を行うようにしてもよい。
【００５４】
また、この場合において、第１のインクタンク１４のインク補給口１６は、第１のインクタンク１４の上端（円筒部材３０の内側）に設けられることになる。これにより、インクが高い位置から下方へ浸透することが可能となる。
【００５５】
この発明は、生産ラインで最終検査で合格した製品（完成品や部品）について、生産ラインの末端で純正品であることを証明する可視インクによる印字と、不可視インクによる印字を行うことにより、純正品であることを証明することができ、即ち、セキュリティを確保でき、かつコンベヤ等で搬送中の捺印対象物に確実に捺印することができる捺印装置を提供する目的に利用できる。
【００５６】
本発明は、上記の実施形態に限定されるものでなく、特許請求の範囲に記載された発明の要旨を逸脱しない範囲内での種々、設計変更した形態を技術的範囲に含まれるものである。
【００５７】
上記の実施形態では、軸３３に支持され回転可能である円筒部材３０に、浸透式印鑑本体１Ａを組み込んだ構成を示したが、浸透式印鑑本体１Ａを軸３３に支持され回転可能に設けることができる。すなわち、印字体等保持枠１１を軸３３に支持され回転可能に設け、該印字体等保持枠１１に、第１の印字体１２と、第１のインクタンク１４と、第２の印字体１３と、第２のインクタンク１５と、が保持される構成も、本発明の技術的範囲に含まれる。
【００５８】
例えば、不可視情報の印相を形成する複数の第２の印字体が、可視情報の印相を形成する第１の印字体の中に分散して備えられる場合も、技術的範囲に含まれる。本発明の浸透式印鑑は、純正品の証明に用いることができる。
【００５９】
また、上記の実施形態では、モータ５１、タイミングプーリー５２、５３、およびタイミングベルト５４からなる回転駆動機構５０が設けられているものについて説明したが、これに限定されるものではない。回転動力手段を具備しておらず、捺印対象物Ｐに浸透式印鑑本体１Ａを押圧し、捺印対象物Ｐと浸透式印鑑本体１Ａとの相対的な移動により浸透式印鑑本体１Ａが連れ回りによる転がり接触回転して押印する構成であっても良い。
【００６０】
また、上記の実施形態において、軸３３は円筒部材３０の中心部に配置され、キー３４により浸透式印鑑本体１Ａに固定されるものについて説明したが、これに限定されるものではない。例えば、円筒部材３０の両端面の中心部にそれぞれ軸を設け、透式印鑑本体１Ａのホルダ１１ｃを開口部３５に固着させるようにしてもよい。
【００６１】
また、生産ラインにおいて製品に対する押印は、製品を停止させて押印する場合と、ロボットハンドで浸透式印鑑を把持しラインを流れる製品の速度を同調させて押印する場合のいずれでも良い。
【図面の簡単な説明】
【００６２】
【図１】捺印装置の構成を示す斜視図である。
【図２】浸透式印鑑本体の印面を視た下面図である。
【図３】捺印装置の構成を示すＡ−Ａ断面図である。
【図４】捺印装置の構成を示すＢ−Ｂ断面図である。
【図５】捺印装置の構成を示すＣ−Ｃ断面図である。
【図６】捺印装置を用いて捺印する応用例を示す斜視図である。
【図７】（ａ）は、図１の捺印装置の可視インクで押印された印影部分の印影図であり、（ｂ）は、図１の捺印装置の可視インクで押印された印影部分及び不可視インクで押印された印影部分について専用検証器で確認できる印影図である。
【図８】捺印装置を用いて捺印する他の応用例を示す斜視図である。
【符号の説明】
【００６３】
１Ａ  浸透式印鑑本体
１１  印字体等保持枠
１２  第１の印字体
１３  第２の印字体
１４  第１のインクタンク
１５  第２のインクタンク
１６、１７  インク補給口
３０  円筒部材
３１、３２  端面部材
３３  軸
３４  キー
３５  開口部
４０（４０ａ、４０ｂ）  保持手段
５０  回転駆動機構
５１  モータ
５２、５３  タイミングプーリー
５４  タイミングベルト
６０  コンベア
７０ａ、７０ｂ、７０ｃ  ローラ
１００  捺印装置
ａ１、ａ２、ａ３  可視情報
ｂ  不可視情報
Ｐ  捺印対象物
【図１】
2010120314.tif 000003
【図２】
2010120314.tif 000004
【図３】
2010120314.tif 000005
【図４】
2010120314.tif 000006
【図５】
2010120314.tif 000007
【図６】
2010120314.tif 000008
【図７】
2010120314.tif 000009
【図８】
2010120314.tif 000010